(57)【要約】【課題】  暖まりが早く、しかも身体にしみ込む暖かさを得ることができ、しかも発熱体の眩しさが抑えられた使い勝手の良い電気ストーブを提供する。【解決手段】  前面が開口した本体ケース１と、この本体ケース１内に設けられ表面に遠赤外線放射材７を塗布したガラス管４と内部のヒータ線６からなる発熱体２と、この発熱体２の背面に設けられ発熱体２の輻射熱を前面に反射する反射板３とを有した電気ストーブにおいて、前記発熱体２のガラス管４に塗布する遠赤外線放射材７はガラス管４表面の円周方向に対し部分的に塗布した。  また、ガラス管４表面に塗布した遠赤外線放射材７の面を本体ケース１の前面側に向けた。【選択図】  図１
2005233521.tif 000002
【特許請求の範囲】
【請求項１】
前面が開口した本体ケース（１）と、この本体ケース（１）内に設けられ表面に遠赤外線放射材（７）を塗布したガラス管（４）と内部のヒータ線（６）からなる発熱体（２）と、この発熱体（２）の背面に設けられ発熱体（２）の輻射熱を前面に反射する反射板（３）とを有した電気ストーブにおいて、前記発熱体（２）のガラス管（４）に塗布する遠赤外線放射材（７）はガラス管（４）表面の円周方向に対し部分的に塗布したことを特徴とする電気ストーブ。
【請求項２】
ガラス管（４）表面に塗布した遠赤外線放射材（７）の面を本体ケース（１）の前面側に向けたことを特徴とする請求項１記載の電気ストーブ。
【請求項３】
遠赤外線放射材（７）を塗布するガラス管（４）の表面をブラスト処理したことを特徴とする請求項１記載の電気ストーブ。
【請求項４】
発熱体（２）はハロゲンランプヒータとしたことを特長とする請求項１または請求項２または請求項３記載の電気ストーブ。
【発明の詳細な説明】
【技術分野】
【０００１】
本発明は、電気暖房器具に利用する電気ストーブに関するものである。
【背景技術】
【０００２】
従来のこの種の電気ストーブは、図３、図４に示すような構造のものが一般に知られている。すなわち、前面が開口した本体ケース１と、この本体ケース１内に本体ケース１の設置面と平行である横方向に取付けられ、表面に遠赤外線放射材７を塗布したガラス管４と内部のヒータ線６からなる発熱体２と、この発熱体２の熱を本体ケース１の前面に反射させるために前記発熱体２の背面に設けられた反射板３と、発熱体２と反射板３を固定するために左右両側面側に固定板８を有している。
【０００３】
また、本体ケース１の前面開口部には危険防止のための保護ガード５が着脱自在に設置してある。
【０００４】
そして、図４に示すように発熱体２のガラス管４全周に遠赤外線放射材７が塗布してあり、ヒータ線６を通電すると遠赤外線放射材７を塗布した面から遠赤外線が放射され、発熱体２から直接放射される遠赤外線と反射板３に反射した遠赤外線が本体ケース前面に向き合って暖を取っている人に対し身体の芯まで暖かい電気ストーブとして使用されている。
【０００５】
また、近年では発熱体２を図５に示すようにガラス管４と内部のヒータ線６等からなるハロゲンランプヒータとし、通電によりヒータ線６が白熱化して発光し赤外線を輻射させることにより、従来のものに比べ速暖性を高くした電気ストーブが提案されている（例えば、特許文献１参照）。
【０００６】
【特許文献１】特開２０００−３１４５３２号公報
【発明の開示】
【発明が解決しようとする課題】
【０００７】
しかしながら、上記の従来技術において、前者のものは通電を開始すると発熱体２のヒータ線６に電流が流れて発熱し、続いてガラス管４が暖められ、さらにガラス管４表面に塗布した遠赤外線放射材７が暖まることで初めて見た目の赤熱が始まり、これにつれて遠赤外線が放射され暖かくなるため、暖まりが遅く、寒い日には待ち遠しいものであった。
【０００８】
また、後者のものはハロゲンランプヒータを使用しているため速暖性は非常によいものであるが、光による輻射熱で暖めるため直接発熱体２を見られない程の眩しさであり、使い勝手が悪いものであった。
【課題を解決するための手段】
【０００９】
本発明は上記の問題を解決するためになされたものであり、前面が開口した本体ケースと、この本体ケース内に設けられ表面に遠赤外線放射材を塗布したガラス管と内部のヒータ線からなる発熱体と、この発熱体の背面に設けられ発熱体の輻射熱を前面に反射する反射板とを有した電気ストーブにおいて、前記発熱体のガラス管に塗布する遠赤外線放射材はガラス管表面の円周方向に対し部分的に塗布したものである。
【００１０】
また、ガラス管表面に塗布した遠赤外線放射材の面を本体ケースの前面側に向けたものである。
【００１１】
また、遠赤外線放射材を塗布するガラス管の表面をブラスト処理したものである。
【００１２】
また、発熱体はハロゲンランプヒータとしたものである。
【発明の効果】
【００１３】
本発明の電気ストーブは、上記のような構成にしたことにより、遠赤外線放射材を塗布しない部分からの輻射熱が反射板で反射してケース本体の前方に輻射され、ハロゲンランプヒータの特徴である速暖性が得られるとともに、遠赤外線放射材の温度が上昇することにより発生する遠赤外線がケース本体の前方に直接輻射され、速暖性はそれ程期待できないが身体に染み込む暖かさが得られ、これら両方の作用により、より快適に暖めることができる電気ストーブとすることができる。
【００１４】
また、前面から直接目で見える発熱体のガラス管の表面に遠赤外線放射材が塗布してあるため、ハロゲンランプヒータの眩しさが抑えられ使い勝手が非常に良いものである。
【発明を実施するための最良の形態】
【００１５】
以下、本発明の一実施例を図１、図２により説明する。図１は本発明の一実施例を示す電気ストーブの簡略縦断面図、図２は同じく発熱体簡略縦断面図である。
【００１６】
なお、従来例で説明した構成と同じ構成の説明は省略する。
【００１７】
図において、１は前面が開口した本体ケースである。
【００１８】
２は発熱体で、本体ケース１内に設けられ本体ケース１の設置面と平行である横方向に取付けられている。
【００１９】
そして、発熱体２はガラス管４と、内部のヒータ線６と、ガラス管４の内部に密封された不活性ガスや微量のハロゲン化物からなるハロゲンランプヒータで構成してあり可視光や赤外線を輻射し、このときの輻射熱により採暖している人を急速に暖めることができるものである。
【００２０】
また、発熱体２のガラス管４の表面はブラスト処理が行われてあり、このガラス管４表面の円周方向に対して部分的に遠赤外線放射材７である例えば金属酸化物や珪酸化合物が塗布してある。このようにガラス管４の表面をブラスト処理をすることにより遠赤外線放射材７とガラス管４との密着性をよくして、遠赤外線放射材７の耐熱衝撃性を良好にし、高温での長時間の使用に耐えるものとしている。
【００２１】
また、発熱体２の本体ケース１への取付は遠赤外線放射材７を塗布していない面が後記する反射板３と対面するように取付けられている。
【００２２】
３は反射板で、前記発熱体２の背面に設けられていて、発熱体２からの輻射熱を本体ケース１に前面側に反射して採暖者に効果的に輻射されるようにしている。
【００２３】
８は固定板で、発熱体２と反射板３を本体ケース１に固定するように発熱体２と反射板３の両側面に設けられている。
【００２４】
次に、以上の構成による作用を説明する。通電によりヒータ線６へ電力が供給されヒータ線６が白熱化して発光すると、この時輻射される輻射熱は遠赤外線放射材７を塗布しない部分からのものは、ガラス管４を通過し、反射板３で反射されケース本体１の前方へと輻射されるが、遠赤外線放射材７を塗布した部分では遠赤外線放射材７が熱せられ、このとき遠赤外線放射材７から発生する遠赤外線が前方へ輻射されるようになる。
【００２５】
このように、遠赤外線放射材を塗布しない部分からの輻射熱が反射板で反射してケース本体の前方に輻射され、ハロゲンランプヒータの特徴である速暖性が得られるとともに、遠赤外線放射材の温度が上昇することにより発生する遠赤外線がケース本体の前方に直接輻射され、速暖性はそれ程期待できないが身体に染み込む暖かさが得られ、これら両方の作用により、より快適に暖めることができる電気ストーブとすることができる。
【００２６】
また、前面から直接目で見える発熱体のガラス管の表面に遠赤外線放射材が塗布してあるため、ハロゲンランプヒータの眩しさが抑えられ使い勝手が非常に良いものである。
【００２７】
なお、発熱体２は前記実施例では棒状の形状としているが、電球状の形状のものでも良く、ケース本体１の前面側に遠赤外線放射材を塗布すればハロゲンランプヒータの眩しさが抑えられ、前記実施例と同等の作用をする。
【図面の簡単な説明】
【００２８】
【図１】本発明の一実施例を示す電気ストーブの簡略縦断面図である。
【図２】同じく発熱体簡略縦断面図である。
【図３】従来例を示す電気ストーブの簡略縦断面図である。
【図４】同じく遠赤外線用発熱体の簡略縦断面図である。
【図５】同じくハロゲンランプヒータの簡略縦断面図である。
【符号の説明】
【００２９】
１  本体ケース
２  発熱体
３  反射板
４  ガラス管
６  ヒータ線
７  遠赤外線放射材
【図１】
2005233521.tif 000003
【図２】
2005233521.tif 000004
【図３】
2005233521.tif 000005
【図４】
2005233521.tif 000006
【図５】
2005233521.tif 000007